【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
湿気硬化型ホットメルト接着剤組成物であって、
単量体のポリオールと二量化された脂肪酸との反応生成物である非晶質のポリエステルポリオールと、
ポリイソシアネートと、
８０℃以上の融点を有した結晶質の単官能アルコールと
の反応生成物を含んだポリウレタンプレポリマーと；
エチレンビニルアセテート共重合体である熱可塑性ポリマーと
を含有し、
前記ポリエステルポリオールは、前記単量体ポリオールの平均当量と前記二量化された脂肪酸の平均当量との和が３００から１５００となるように前記熱可塑性ポリマーの極性に合わせて調整されている接着剤組成物。
【請求項２】
粘着性付与樹脂を更に含有している請求項１に記載の接着剤組成物。
【請求項３】
前記単官能アルコールは、３５以上の炭素原子を有している請求項１又は２に記載の接着剤組成物。
【請求項４】
１０重量％から８０重量％の前記ポリウレタンプレポリマーと、
１重量％から７０重量％の前記粘着性付与樹脂と、
１０重量％から７０重量％の前記熱可塑性ポリマーと
を含有している請求項２に記載の接着剤組成物。
【請求項５】
前記ポリウレタンプレポリマーは、１０℃以下のガラス転移温度を有している請求項１又は２に記載の接着剤組成物。
【請求項６】
前記組成物は、２５０°Ｆ（１２１℃）において１５０，０００以下の溶融粘度を示す請求項１又は２に記載の接着剤組成物。
【請求項７】
前記接着剤組成物は、８０℃における木材破壊百分率が８０％以上である剥離接着性を示す請求項１又は２に記載の接着剤組成物。
【請求項８】
前記二量化された脂肪酸は、各々が１２以上の炭素原子を有した２つの不飽和カルボン酸の反応生成物である請求項１又は２に記載の接着剤組成物。
【請求項９】
湿気硬化型ホットメルト接着剤組成物であって、
単量体のポリオールと二量化された脂肪酸との反応生成物である非晶質のポリエステルポリオールと、
ポリイソシアネートと、
８０℃以上の融点を有した結晶質の単官能アルコールと
の反応生成物を含んだポリウレタンプレポリマー
を含有し、
前記組成物は、結晶質又は半晶質のポリエステルポリオールを含有しておらず、８０℃における木材破壊百分率が８０％以上である剥離接着性を示す接着剤組成物。
【請求項１０】
粘着性付与樹脂を更に含有している請求項９に記載の接着剤組成物。
【請求項１１】
熱可塑性ポリマーを更に含有している請求項９又は１０に記載の接着剤組成物。
【請求項１２】
１０重量％から８０重量％の前記ポリウレタンプレポリマーと、
１重量％から７０重量％の粘着性付与樹脂と、
１０重量％から７０重量％の熱可塑性ポリマーと
を含有している請求項９に記載の接着剤組成物。
【請求項１３】
前記組成物は、２５０°Ｆ（１２１℃）において５，０００から１５０，０００の溶融粘度を示す請求項９乃至１１の何れか１項に記載の接着剤組成物。
【請求項１４】
前記プレポリマーは、少なくとも２０，０００ｇ／ｍｏｌの重量平均分子量を有している請求項９乃至１１の何れか１項に記載の接着剤組成物。
【請求項１５】
前記熱可塑性ポリマーは、ポリオレフィン、ポリアルファオレフィン、ポリエステル、エチレンビニルアセテート、ポリアクリレート、ポリメタクリレート、ポリアクリルアミド、ポリアクリロニトリル、ポリイミド、ポリアミド、ポリビニルクロリド、ポリシロキサン、ポリウレタン、ポリスチレン、ポリエーテルアミド共重合体、スチレン−ブタジエン共重合体、スチレン−ブタジエン−スチレン共重合体、スチレン−イソプレン−スチレン共重合体、スチレン−エチレン−ブチレン−スチレン共重合体、スチレン−エチレン−プロピレン−スチレン共重合体、ブチルゴム、ポリイソブチレン、イソブチレン−イソプレン共重合体、任意の前記ポリマーのヒドロキシル官能バージョン、及びこれらの組合せからなる群より選択される請求項１１に記載の接着剤組成物。
【請求項１６】
前記非晶質のポリエステルポリオールは、ポリオールと二量化された脂肪酸との反応生成物を含んでいる請求項９乃至１１の何れか１項に記載の接着剤組成物。
【請求項１７】
第１基材と、第２基材と、前記第１及び第２基材の間に挟まれた請求項１又は２に記載の前記接着剤組成物とを備えた物品。
【請求項１８】
前記第１及び第２基材の少なくとも一方は、アクリロニトリル−ブタジエン−スチレン（ＡＢＳ）、ファイバー強化プラスチック（ＦＲＰ）、木材、木材コンポジットパネル、ポリビニルクロリド（ＰＶＣ）、紙、耐衝撃性改質ポリスチレン、ポリカーボネート、発泡ポリスチレン、金属、塗装された金属、亜鉛めっきされた金属、及びこれらの組合せからなる群より選択される請求項１７に記載の物品。
【請求項１９】
第１基材と、第２基材と、前記第１及び第２基材の間に挟まれた請求項９乃至１１の何れか１項に記載の前記接着剤組成物とを備えた物品。
【請求項２０】
前記第１及び第２基材の少なくとも一方は、アクリロニトリル−ブタジエン−スチレン（ＡＢＳ）、ファイバー強化プラスチック（ＦＲＰ）、木材、木材コンポジットパネル、ポリビニルクロリド（ＰＶＣ）、紙、耐衝撃性改質ポリスチレン、ポリカーボネート、発泡ポリスチレン、金属、塗装された金属、亜鉛めっきされた金属、及びこれらの組合せからなる群より選択される請求項１９に記載の物品。
【請求項２１】
第１基材を第２基材に接着させる方法であって、
請求項１又は２に記載の前記湿気硬化型ホットメルト接着剤組成物を、第１基材の少なくとも一方の主面上に塗布することと、
前記接着剤組成物を第２基材に接触させることと、
前記接着剤組成物を硬化させることと
を含んだ方法。
【請求項２２】
第１基材を第２基材に接着させる方法であって、
請求項９乃至１１の何れか１項に記載の前記湿気硬化型ホットメルト接着剤組成物を、第１基材の少なくとも一方の主面上に塗布することと、
前記接着剤組成物を第２基材に接触させることと、
前記接着剤組成物を硬化させることと
を含んだ方法。
【手続補正２】
【補正対象書類名】明細書
【補正対象項目名】００６９
【補正方法】変更
【補正の内容】
【００６９】
他の態様は、請求の範囲の範囲内である。
以下に、当初の請求の範囲に記載していた発明を付記する。  
［１］湿気硬化型ホットメルト接着剤組成物であって、
非晶質のポリエステルポリオールと、
ポリイソシアネートと、
８０℃以上の融点を有した結晶質の単官能アルコールと
の反応生成物を含んだポリウレタンプレポリマーと；
任意に、粘着性付与樹脂と；
任意に、熱可塑性ポリマーと
を含有し、
前記組成物は、結晶質又は半晶質のポリエステルポリオールを含有していない接着剤組成物。
［２］前記非晶質のポリエステルポリオールは、ポリオールと二量化された脂肪酸との反応生成物を含んでいる［１］に記載の接着剤組成物。
［３］前記二量化された脂肪酸は、各々が１２以上の炭素原子を有した２つの不飽和カルボン酸の反応生成物である［２］に記載の接着剤組成物。
［４］前記単官能アルコールは、３５以上の炭素原子を有している［１］〜［３］の何れかに記載の接着剤組成物。
［５］１０重量％から８０重量％の前記ポリウレタンプレポリマーと、
１重量％から７０重量％の前記粘着性付与樹脂と、
１０重量％から７０重量％の前記熱可塑性ポリマーと
を含有している［１］〜［４］の何れかに記載の接着剤組成物。
［６］前記組成物は、２５０°Ｆ（１２１℃）において１５０，０００以下の溶融粘度を示す［１］〜［５］の何れかに記載の接着剤組成物。
［７］前記熱可塑性ポリマーは、ポリオレフィン、ポリアルファオレフィン、約１０，０００ｇ／ｍｏｌｅより高い数平均分子量を有したポリエステル、エチレンビニルアセテート、ポリアクリレート、ポリメタクリレート、ポリアクリルアミド、ポリアクリロニトリル、ポリイミド、ポリアミド、ポリビニルクロリド、ポリシロキサン、ポリウレタン、ポリスチレン、ポリエーテルアミド共重合体、スチレン−ブタジエン共重合体、スチレン−ブタジエン−スチレン共重合体、スチレン−イソプレン−スチレン共重合体、スチレン−エチレン−ブチレン−スチレン共重合体、スチレン−エチレン−プロピレン−スチレン共重合体、ブチルゴム、ポリイソブチレン、イソブチレン−イソプレン共重合体、任意の前記ポリマーのヒドロキシル官能バージョン、及びこれらの組合せからなる群より選択される［１］〜［６］の何れかに記載の接着剤組成物。
［８］第１基材を第２基材に接着させる方法であって、
［１］〜［７］の何れかに記載の前記湿気硬化型ホットメルト接着剤組成物を、第１基材の少なくとも一方の主面上に塗布することと、
前記接着剤組成物を第２基材に接触させることと、
前記接着剤組成物を硬化させることと
を含んだ方法。
［９］第１基材と、第２基材と、前記第１及び第２基材の間に挟まれた［１］〜［７］の何れかに記載の前記接着剤組成物とを備えた物品。
［１０］前記第１及び第２基材の少なくとも一方は、アクリロニトリル−ブタジエン−スチレン（ＡＢＳ）、ファイバー強化プラスチック（ＦＲＰ）、木材、木材コンポジットパネル、ポリビニルクロリド（ＰＶＣ）、紙、耐衝撃性改質ポリスチレン、ポリカーボネート、発泡ポリスチレン、金属、塗装された金属、亜鉛めっきされた金属、及びこれらの組合せからなる群より選択される［９］に記載の物品。